(57)【要約】無線アクセスネットワーク（２４）において、フェムト無線基地局（２８f）は無線アクセスネットワーク（２４）において同報されたシステム情報を取得する常駐の受信機（５４）を含む。システム情報の少なくとも一部は、隣接セルに関する情報を含む隣接データ構造（５９）をフェムト無線基地局（２８f）において構築するために使用される。隣接データ構造（５９）は次いで隣接リストを構築するために使用される。その後、その隣接リストはフェムト無線基地局（２８f）からフェムト無線基地局（２８f）によりサービスを受けるユーザ機器ユニット（３０）へ送信される。幾つかの実施例および態様では、フェムト無線基地局（２８f）は隣接データ構造をそのフェムト無線基地局以外の別のネットワークノード（２６、１００）に報告する。別のノード（２６、１００）は、それら別のノードにおいて隣接リストを構築するために、その隣接データ構造を使用する。幾つかの実施例および態様では、システム情報の取得は、検知されたセルについてのセルアイデンティティ情報を取得するためにフェムト無線基地局の周辺のマクロカバレッジ領域を走査することを含む。別の実施例および態様では、そのシステム情報の取得は、マクロセルに一時的に留まるステップと、少なくとも１つの隣接セルについての情報を取得するために、一時的に留まったマクロセルにおける少なくとも１つのシステム情報ブロックを使用／閲覧するステップとをさらに含んでもよい。
2009510973.tif 000002
【特許請求の範囲】
【請求項１】
無線アクセスネットワーク（２４）を動作させる方法であって、
フェムト無線基地局（２８fj）において無線インタフェース（３２）により、無線アクセスネットワーク（２４）において同報されるシステム情報を取得する工程と、
前記フェムト無線基地局（２８fj）において、隣接セルの情報を有する隣接データ構造（５９）を構築するために、前記システム情報の少なくとも一部を用いる工程と、
隣接リストを構築するために前記隣接データ構造（５９）を用いる工程と、
前記フェムト無線基地局（２８fj）から前記フェムト無線基地局（２８fj）によりサービスを受けるユーザ機器ユニット（３０）に前記隣接リストを送信する工程とを有することを特徴とする方法。
【請求項２】
前記フェムト無線基地局（２８fj）から前記フェムト無線基地局（２８fj）によりサービスを受けるユーザ機器ユニット（３０）に前記隣接リストを送信する工程は、アイドルモードにある前記フェムト無線基地局によりサービスを受けるユーザ機器ユニットに前記隣接リストを同報する工程を有することを特徴とする請求項１に記載の方法。
【請求項３】
前記フェムト無線基地局（２８fj）から前記フェムト無線基地局（２８fj）によりサービスを受けるユーザ機器ユニット（３０）に前記隣接リストを送信する工程は、アクティブモード或いは接続中モードにある前記フェムト無線基地局によりサービスを受けるユーザ機器ユニットに、モニタされたセットとして前記隣接リストを送信するために専用シグナリング接続を用いる工程を有することを特徴とする請求項１に記載の方法。
【請求項４】
前記フェムト無線基地局（２８fj）以外のネットワークノード（２６，１００）に前記隣接データ構造（５９）を報告し、前記隣接データ構造（５９）を用いて、前記他のノード（２６，１００）において隣接リストを構築する工程と、
前記隣接リストを前記フェムト無線基地局（２８fj）に転送する工程とをさらに有することを特徴とする請求項１に記載の方法。
【請求項５】
前記他のノードは無線ネットワーク制御局ノード（２６）であることを特徴とする請求項４に記載の方法。
【請求項６】
前記システム情報を取得する工程は、前記フェムト無線基地局（２８fj）の周辺のマクロカバレッジ領域を走査し、検出されたセルについてのセルアイデンティティ情報を取得する工程を含み、
前記方法は、検出されたセル各々に関し、
前記隣接データ構造（５９）に前記セルアイデンティティ情報を付加する工程と、
前記隣接データ構造（５９）に付加されたセルアイデンティティを有する各セルに関し信号強度の測定を実行する工程と、
前記隣接データ構造（５９）に前記信号強度の測定値を付加する工程とをさらに有することを特徴とする請求項１に記載の方法。
【請求項７】
前記システム情報を取得する工程はさらにマクロセルに一時的には留まる工程を有し、
前記方法は、
前記一時的に留まったマクロセルについてのセルアイデンティティ情報と信号強度の測定値とを前記隣接データ構造（５９）に付加する工程と、
前記一時的に留まったマクロセルにおける少なくとも１つのシステム情報ブロックを用いて隣接セルについての情報を取得する工程と、
前記隣接セルについてのセルアイデンティティ情報と信号強度測定値とを前記隣接データ構造（５９）に付加する工程とをさらに有することを特徴とする請求項６に記載の方法。
【請求項８】
前記フェムト無線基地局（２８fj）により構築された前記隣接データ構造（５９）を前記隣接リストとして用いる工程をさらに有することを特徴とする請求項６に記載の方法。
【請求項９】
前記隣接リストを構築するために前記隣接データ構造（５９）を用いる工程は、
前記隣接データ構造から少なくとも１つのセルをフィルタする工程と、
前記隣接データ構造の少なくとも１つのセルを置き換えセルで置換する工程と、
新しいセルを前記隣接データ構造（５９）に追加する工程との内の少なくとも１つを有することを特徴とする請求項１に記載の方法。
【請求項１０】
フェムト無線基地局（２８fj）であって、
検知されたセルについてのセルアイデンティティ情報を含むシステム情報を取得し、信号強度の測定を実行するために、前記フェムト無線基地局（２８fj）の周辺のマクロカバレッジ領域を走査するよう構成された常駐の無線受信機（５４）と、
隣接セルについての情報を含む隣接データ構造（５９）を構築するために、前記システム情報の少なくとも一部を使用するように構成された隣接データ構造（５９）のビルダとを有し、
前記隣接データ構造（５９）のビルダは、前記検知されたセルについてセルアイデンティティ情報と前記隣接データ構造（５９）の各セルに関する信号強度の測定値を前記隣接データ構造（５９）に含めるように構成されることを特徴とするフェムト無線基地局。
【請求項１１】
前記常駐の無線受信機（５４）はさらに、一時的にマクロセルに留まり、
（１）前記一時的に留まったマクロセルについてのセルアイデンティティと信号強度の測定値と、
（２）少なくとも１つの隣接セルについての情報を取得するための前記一時的に留まったマクロセルのシステム情報ブロックとを取得するように構成され、
前記隣接データ構造（５９）のビルダはさらに、前記（１）と前記（２）とを用いて隣接データ構造（５９）を構築するように構成されることを特徴とする請求項１０に記載のフェムト無線基地局。
【請求項１２】
フェムト無線基地局（２８fj）の前記隣接データ構造（５９）のビルダによって構築された前記隣接データ構造（５９）を、前記フェムト無線基地局（２８fj）によりサービスを受けるユーザ機器ユニット（３０）への送信のために前記隣接リストとして使用するように構成されたリストマネージャ（５７）をさらに有することを特徴とする請求項１１に記載のフェムト無線基地局。
【請求項１３】
無線アクセスネットワークであって、
フェムト無線基地局（２８fj）と、
隣接データ構造（５９）を用いて隣接リストを構築するよう構成された、前記フェムト無線基地局（２８fj）からは別個のノード（２６，１００）とを有し、
前記フェムト無線基地局（２８fj）は、
無線アクセスネットワークにおいて同報されたシステム情報を取得するために構成された常駐の無線受信機（５４）と、
前記フェムト無線基地局（２８fj）において、隣接セルについての情報を含む前記隣接データ構造（５９）を構築するために前記システム情報の少なくとも一部を使用する手段を有することを特徴とする無線アクセスネットワーク。
【請求項１４】
前記隣接データ構造（５９）を用いて隣接リストを構築するよう構成されたノードは、無線ネットワーク制御局ノード（２６）を有することを特徴とする請求項１３に記載の無線アクセスネットワーク。
【発明の詳細な説明】
【技術分野】
【０００１】
本発明は無線通信に関し、特に、無線アクセスネットワークの“フェムト”または“ピコ”無線基地局の動作に関するものである。
【背景技術】
【０００２】
通常のセルラ無線システムでは、無線ユーザ機器ユニット（ＵＥ）は無線アクセスネットワーク（ＲＡＮ）を介して１つ以上のコアネットワークと通信する。ユーザ機器ユニット（ＵＥ）は、移動体電話（“セルラ”電話）や移動体端末付きのラップトップ等の移動局であってもよく、従って、無線アクセスネットワークと、音声とデータの内の少なくともいずれかで通信する、例えば、携帯型、ポケット型、ハンドヘルド型、コンピュータ内蔵型、または車載型の移動体装置であってもよい。あるいは、無線ユーザ機器ユニットは固定無線装置、例えば、無線ローカルループ等の一部である固定セルラ装置／端末であってもよい。
【０００３】
無線アクセスネットワーク（ＲＡＮ）はセル領域へと分割されるある地理的領域をカバーし、各セル領域は基地局によってサービスされる。セルは基地局サイトの無線基地局装置によって無線カバレッジを提供される地理的領域である。各セルは一意のアイデンティティによって識別され、それはシステム情報としてそのセルで同報される。基地局はエアインタフェースを介して基地局の範囲内のユーザ機器ユニット（ＵＥ）と通信する。無線アクセスネットワークでは通常、幾つかの基地局が無線ネットワーク制御局（ＲＮＣ）に（地上の通信線またはマイクロ波により）接続される。時には基地局制御局（ＢＳＣ）と称することもある無線ネットワーク制御局は、そこに接続された複数の基地局の種々のアクティビティを管理し調整する。無線ネットワーク制御局は通常１つ以上のコアネットワークに接続される。コアネットワークは２つのサービスドメインを持っており、ＲＮＣはこれらドメインの両方とのインタフェースを有する。
【０００４】
無線アクセスネットワークの１つの例は、全球規模の移動体通信システム（ＵＭＴＳ）の地上無線アクセスネットワーク（ＵＴＲＡＮ）である。ＵＭＴＳは、ある観点では、ＧＳＭ（Global System for Mobile communications）として知られるヨーロッパで開発された無線アクセス技術の上に構築された第３世代のシステムである。ＵＴＲＡＮは本質的には、ユーザ機器ユニット（ＵＥ）に対して広帯域コード分割多元接続（ＷＣＤＭＡ）を提供する無線アクセスネットワークである。第３世代パートナシッププロジェクト（３ＧＰＰ）が、ＵＴＲＡＮとＧＳＭベースの無線アクセスネットワーク技術をさらに進展させる任務を担っている。
【０００５】
当業者には理解できようが、ＷＣＤＭＡ技術では、共有周波数帯域により、ユーザ機器ユニットと複数の基地局との間の同時的な通信が可能である。共有周波数帯域を占める信号は、受信局において、高速の擬似雑音（ＰＮ）符号の使用に基づく拡散スペクトルＣＤＭＡ波形特性を通して判別される。これらの高速ＰＮ符号は、基地局とユーザ機器ユニット（ＵＥ）から送信される信号の変調に使用される。幾つものＰＮ符号（または時間のオフセットがあるＰＮ符号）を使用する送信局は、受信局で分離して復調できる信号を発生する。また、高速のＰＮ変調により、受信局が、送信信号の幾つかの異なる伝播経路を組み合わせて、１つの送信局からの受信信号を好適に生成できるようにもなる。従って、ＣＤＭＡでは、接続が１つのセルから別のセルへハンドオーバされる際に、ユーザ機器ユニット（ＵＥ）は周波数を切り替える必要が無い。その結果、元々のセルが接続へのサービスを継続するのと同時に、移動先のセルはそのユーザ機器ユニット（ＵＥ）への接続をサポートできる。ユーザ機器ユニット（ＵＥ）は、ハンドオーバ中も少なくとも１つのセルを通して常に通信し続けるので、通話の中断が生じない。このために“ソフトハンドオーバ”という用語がある。ハードハンドオーバとは対照的に、ソフトハンドオーバは“切れる前に繋ぐ（make-before-break）”切り替え動作である。
【０００６】
無線アクセスネットワークを包含するその他のタイプの通信システムには次のものが含まれる。即ち、汎欧州デジタル移動電話方式（ＧＳＭ）、改良型移動体電話サービス（ＡＭＰＳ）システム、狭帯域ＡＭＰＳシステム（ＮＡＭＰＳ）、トータルアクセス通信システム（ＴＡＣＳ）、パーソナルデジタルセルラ（ＰＤＣ）システム、米国デジタルセルラ（ＵＳＤＣ）システム、及びＥＩＡ／ＴＩＡ  ＩＳ−９５に記載のコード分割多元接続（ＣＤＭＡ）システムである。
【０００７】
ＵＴＲＡＮには幾つかの興味深いインタフェースがある。無線ネットワーク制御局（ＲＮＣ）とコアネットワークとの間のインタフェースは“Ｉｕ”インタフェースと呼ばれる。無線ネットワーク制御局（ＲＮＣ）との基地局（ＢＳ）との間のインタフェースは“Ｉｕｂ”インタフェースと呼ばれる。ユーザ機器ユニット（ＵＥ）と基地局との間のインタフェースは“エアインタフェース”、“無線インタフェース”、或いは、“Ｕｕ”インタフェースとして知られる。幾つかの事例では、接続は、ソースおよびサービングＲＮＣ（ＳＲＮＣ）と、ターゲット或いはドリフトＲＮＣ（ＤＲＮＣ）の両方を必要としており、ＳＲＮＣは接続を制御し、一方、その接続の１つ以上のダイバーシティレッグはＤＲＮＣによって扱われる。ＲＮＣ間の伝達リンクは、ソースＲＮＣとドリフト或いはターゲットＲＮＣとの間の制御信号とデータ信号の伝達に使用することができ、これは直接リンクであってもよくまたは論理リンクであってもよい。無線ネットワーク制御局間（例えば、サービングＲＮＣ（ＳＲＮＣ）とドリフトＲＮＣ（ＤＲＮＣ）との間）のインタフェースは“Ｉｕｒ”インタフェースと呼ばれる。
【０００８】
無線ネットワーク制御局（ＲＮＣ）はＵＴＲＡＮを制御する。その制御の役割を果たす際に、ＲＮＣはＵＴＲＡＮの資源を管理する。ＲＮＣが管理する資源は（とりわけ）基地局が送信するダウンリンク（ＤＬ）電力と、基地局が感知するアップリンク（ＵＰ）干渉と、基地局に設置されたハードウェアとを含む。
【０００９】
幾つかの通信事業者が、ある環境では、“フェムトＲＢＳ”、“ホームＲＢＳ”、“ピコＲＢＳ”、“マイクロＲＢＳ”の内、少なくともいずれかで呼ばれる小規模な無線基地局（“ＲＢＳ”）を使用して、限られた数のユーザのための家庭または小領域のＷＣＤＭＡカバレッジを提供する可能性について研究している。そのような研究によれば、小規模ＲＢＳは、エンドユーザに（例えば、ユーザ機器ユニット（ＵＥ）に対して）通常のＷＣＤＭＡカバレッジを提供し、ある種のＩＰベース伝送を使用してＲＮＣに接続される。そのようにして提供されるカバレッジ領域は、（そのカバレッジ領域が相対的に小さいことを示すために）“フェムトセル”と呼ばれる。フェムトセルの別の用語には“ピコセル”または“マイクロセル”が含まれ、マクロ即ち標準的な無線基地局（ＲＢＳ）がカバーするマクロセルと対照をなしている。
【００１０】
ＩＰベース伝送の１つの案は、（ｘＤＳＬ、ケーブル等のような）固定広帯域アクセスを使用してホームＲＢＳをＲＮＣに接続することである。もう１つの案は、無線広帯域アクセス（例えば、ＨＳＤＰＡと拡張アップリンク、またはＷｉＭＡＸ）を使用することであろう。図５は、それら２つの異なるバックホール（backhaul）の案をより詳細に示す。第１の案は“ｘＤＳＬバックホール”とラベルが付され、第２の案は“ＷｉＭＡＸバックホール”とラベルが付されている。
【００１１】
一般に、通常のＷＣＤＭＡ基地局（マクロＲＢＳ）は、通信事業者の職員、例えば、無線アクセスネットワーク（ＲＡＮ）のマクロＲＢＳノードとＲＮＣノードを所有または保守する通信事業会社の社員によってインストールされ設定される。そのインストールの一環として、マクロＲＢＳは隣接セルリスト情報等の動作パラメータを使用して人手で設定される。
【００１２】
これとは対照的に、フェムトＲＢＳは通常、ネットワーク通信事業者というよりエンドユーザによってインストールされる。エンドユーザはまた、通信事業者がフェムトＲＢＳの再配置を制御できたりまたは制御しようとしなくても、フェムトＲＢＳを地理的にあちらこちらへと移動させることもできる。そのようなユーザ主導の再配置のためには、隣接セルリスト情報等の動作パラメータが自動的に処理される必要がある。
【００１３】
隣接セルリストは、アイドルモードのユーザ機器ユニットが測定するべきセルの集合である。隣接セルリスト（“隣接リスト”としても知られる）は通常、無線基地局からその無線基地局がサービスするアイドルモードのユーザ機器ユニットへの同報中に含まれる。アクティブモード或いは接続中モードのユーザ機器ユニットには（ユーザ機器ユニットへの専用シグナリング接続を介して）モニタセット（Monitored Set）の形式で隣接リストが送信される。モニタセットは、制御ノード（例えば、無線ネットワーク制御局ノード）から命令されたセルからのハンドオーバの可能性に備えてユーザ機器ユニットが測定に使用する隣接セルをリストしたものである。
【００１４】
言い換えるならば、基地局は、アイドルモードのユーザ機器ユニット（ＵＥ）が、どのセルに一時的に留まる（camp）べきかを決定するために測定すべき隣接セルについての情報を同報する。アクティブセションの場合は、モニタセットのセルのリストが専用シグナリング接続を介してＵＥに送信され（即ち、この場合は同報されない）、測定報告をどのセルに対して行うべきか、そして、ＲＮＣからの指示に際してどのセルにハンドオーバできるかについてＵＥに指示を与える。
【００１５】
ここで使用されるように、用語“隣接セルリスト”および“隣接リスト”は、同報されるアイドルモードの隣接セルリストとアクテイブ／接続中モードの隣接セルリスト（即ち、モニタセット）の両方について使用される。
【発明の開示】
【発明が解決しようとする課題】
【００１６】
そのようなセルのリストを作成するには、運用および管理（Ｏ＆Ｍ）上の相当の努力およびサポートシステムが必要となる。そのリストはまた、（例えば、ＲＮＣノードにおける）ネットワーク制御装置にロードされ、そして正しい基地局と関連付けられるべきである。これはまた人的誤りの機会を増大させる。
【００１７】
隣接リストの処理にはかなりの作業を要するので、ピコ（フェムト）基地局の場合、特に先に述べたように、フェムト基地局はエンドユーザにより新しい場所へ移動され得るので、必要な作業量は相当に大きくなることがあり得る。従来、固定広帯域アクセス案についても無線広帯域案の幾つかの変形版についても、隣接セルリストを自動的に構築する自動化されたやり方は存在していない。
【００１８】
それ故に、必要とされていることとここでの目的は、ＩＰ接続されたフェムト無線基地局のための隣接リストを構築する新しい自動的メカニズムを備えることである。
【課題を解決するための手段】
【００１９】
無線アクセスネットワークでは、フェムト無線基地局は、無線アクセスネットワークにおいて同報されるシステム情報を（無線インタフェースを介して）取得する常駐の受信機を含む。そのシステム情報の少なくとも一部は、フェムト無線基地局において隣接セルに関する情報を含む隣接データ構造を構築するために使用される。隣接データ構造は次いで隣接リストの構築に使用される。隣接リストはその後、フェムト無線基地局からそのフェムト無線基地局がサービスするユーザ機器ユニットへ送信される。
【００２０】
幾つかの実施例および態様では、フェムト無線基地局は隣接データ構造をネットワークノードへ報告する。その別のノードは隣接データ構造を隣接リストの構築に使用する。その別のノードは、例えば、無線ネットワーク制御局ノードまたはその無線ネットワーク制御局ノードに接続されたバックエンドシステムノードであってもよい。その別のノードによって構築される隣接リストはフェムト無線基地局へ送信され、その結果、フェムト無線基地局は、その後、その隣接リストをフェムト無線基地局からそのフェムト無線基地局によりサービスを受けるユーザ機器ユニットへ、例えば、その隣接リストは、そのフェムト無線基地局によりサービスを受けるアイドルモードのユーザ機器ユニットへ同報されるか、或いは、接続中モード或いはアクティブモードの特定のユーザ機器ユニットに専用シグナリング接続を介して送信されるという意味において、送信できるようになる。
【００２１】
幾つかの実施例および態様では、システム情報の取得は、検知されたセルについてセルアイデンティティ情報を取得するためにフェムト無線基地局の周辺のマクロカバレッジ領域を走査することを含む。検知された各セルについて、セルアイデンティティ情報が隣接データ構造に追加される。さらに、フェムト無線基地局の常駐の受信機は、隣接データ構造に追加されたアイデンティティ情報をもつ各セルについて信号強度の測定を実行する。そのような各セルについての信号強度の測定値は隣接データ構造に追加される。
【００２２】
別の実施例および態様では、システム情報の取得は、マクロカバレッジの走査中に検知されたマクロセルに少なくとも一時的には留まることをさらに含む。一時的に留まったマクロセルのセルアイデンティティ情報と信号強度の測定値とは隣接データ構造に追加される。さらに、一時的に留まったマクロセルにおける少なくとも１つのシステム情報ブロックは、少なくとも１つの隣接セルに関する情報を取得するために閲覧／使用される。隣接セルについてのセルアイデンティティ情報と信号強度の測定値もまた、隣接データ構造に追加される。一時的に留まったマクロセルのシステム情報ブロックから、アイドルモード用の隣接セルのセルアイデンティティと信号強度の測定値とを取得することにより、可能なセルについてのスペクトル全体を走査する必要もなく、隣接データ構造の候補を選択することができる。さらに、望むならば、フェムト無線基地局により構築された隣接データ構造が、そのフェムト無線基地局によりサービスを受けるユーザ機器ユニットへ送信する隣接リストとして使用できる。
【００２３】
幾つかの実施例および態様では、隣接リストを構築するために隣接データ構造を使用することは次の少なくとも１つを含む。即ち、（１）隣接データ構造から少なくとも１つのセルをフィルタすること、（２）隣接データ構造の少なくとも１つのセルを置き換えセルで置換すること、そして（３）新しいセルを隣接データ構造に追加することである。セルのフィルタ、置換、追加との内の少なくともいずれかは、内部的なポリシに従って変形してもよい。
【００２４】
その態様の１つでは、この技術は常駐の無線受信機を含むフェムト無線基地局に関したものである。その常駐の無線受信機は、検知されたセルについてのセルアイデンティティ情報を含むシステム情報を取得し、信号強度の測定を実行するために、フェムト無線基地局の周辺のマクロカバレッジ領域を走査するように構成されている。フェムト無線基地局はまた、隣接セルについての情報を含む隣接データ構造を構築するためにシステム情報の少なくとも一部を使用するように構成された隣接データ構造のビルダ（builder）を含んでいる。その隣接データ構造のビルダは検知されたセルについてのセルアイデンティティ情報と隣接データ構造における各セルに関する信号強度の測定値をその隣接データ構造に含めるように構成される。
【００２５】
その態様の１つでは、この技術は常駐の無線受信機を有するように構成されたフェムト無線基地局に関したものである。その常駐の無線受信機は、フェムト無線基地局の周辺のマクロカバレッジ領域を走査してシステム情報を取得するのみならず、走査中に検知したマクロセルに少なくとも一時的に留まる役割を有する。マクロセルに少なくとも一時的に留まる結果として、フェムト無線基地局はまた、（１）一時的に留まるマクロセルのセルアイデンティティと信号強度の測定値、および（２）少なくとも１つの隣接セルについての情報を取得するための一時的に留まったマクロセルのシステム情報ブロックとを取得するように構成される。フェムト無線基地局はさらに、隣接データ構造を構築するために（１）と（２）とを使用するように構成された隣接データ構造のビルダを含む。オプションとして、フェムト無線基地局はまた、そのフェムト無線基地局の隣接データ構造のビルダによって構築された隣接データ構造そのものを、そのフェムト無線基地局によりサービスを受けるユーザ機器ユニットに送信する隣接リストとして使用するように構成されたリストマネージャを含んでもよい。
【００２６】
そのもう１つの態様では、この技術は、フェムト無線基地局と別のノードの両方を含む無線アクセスネットワーク（ＲＡＮ）に関するものである。フェムト無線基地局は、無線アクセスネットワークにおいて同報されたシステム情報を取得するための常駐の無線受信機と、そのフェムト無線基地局において隣接セルに関する情報を含む隣接データ構造を構築するためにシステム情報の少なくとも一部を使用する手段とを含む。別のノードは、その隣接リストを構築するために隣接データ構造を使用するように構成される。その別のノードは、例えば、無線ネットワーク制御局ノード、またはその無線ネットワーク制御局ノードに接続されたバックエンドシステムであってもよい。
【００２７】
本発明の先述した、また他の目的、特徴、および利点は、添付図面に示されるように、好適な実施例についての以下のより具体的な説明から明らかになろう。その図面では、参照文字は、種々の図を通して同じ部分を参照するものとする。図面は必ずしも原寸に対応するものではなく、その代わり、本発明の原理を図示することに重きが置かれている。
【発明を実施するための最良の形態】
【００２８】
以下の記述では、説明の目的でしかし限定は目的とせずに、特定のアーキテクチャ、インタフェース、技術等の具体的な詳細について説明し、本発明の完全な理解に供する。しかしながら、本発明がこれらの具体的な詳細とは異なる別の実施例においても実施可能であることは当業者には明らかであろう。即ち、当業者には、ここでは明確に説明したり図示したりはしていないが、本発明の原理を実施し、またその範囲と精神に含まれる種々の構成を考えることができよう。いくつかの例では、既知の装置、回路、および方法についての詳細な説明は、不必要な詳細でもって本発明の説明が曖昧化することのないよう割愛する。ここにおける、本発明の原理、態様、および実施例ならびにその具体例に言及する全ての説明は、それに等価な構造と機能の両方を包含することが意図されている。さらに、そのような等価物には、現在知られている等価物のみならず将来開発される等価物、例えば、その構造に関わらず同じ機能を実行する開発された任意の要素が含まれることが意図されている。
【００２９】
従って、例えば、ここでのブロック図がこの技術の原理を具体化する例示的な回路を示す概念図を表現できることは、当業者には理解されよう。同様に、フローチャート、状態遷移図、擬似コード等のいずれも、コンピュータ可読媒体中に実質的に表現され、コンピュータまたはプロセッサが明示されているか否かに関わりなく、そのようなコンピュータまたはプロセッサによって実行される種々のプロセスを表現することが認識されよう。
【００３０】
“プロセッサ”または“コントローラ（制御局・装置）”とラベルが付された機能ブロックを含む種々の要素の機能は、専用ハードウェアのみならず適切なソフトウェアと関連付けられたソフトウェアを実行可能なハードウェアの使用により提供されてもよい。プロセッサにより提供される場合、その機能は、単一の専有プロセッサ、単一の共有プロセッサ、または、それらの幾つかが共有または分散化された複数の個別のプロセッサにより提供されてもよい。さらに、用語“プロセッサ”または“コントローラ（制御局・装置）”が明白に使用された場合であっても、ソフトウェアを実行可能なハードウェアのみに言及すると解釈されるべきではなく、デジタル信号処理装置（ＤＳＰ）ハードウェア、ソフトウェアを記憶する読み取り専用メモリ（ＲＯＭ）、ランダムアクセスメモリ（ＲＡＭ）、および非揮発性メモリが含まれてもよく、また、これらに限定されるものでもない。
【００３１】
これに限定するものではないが図１Ａに示される通信システム１０を例にとって本発明について説明する。通信システム１０はコアネットワーク２０に接続される。通信システム１０は無線アクセスネットワーク２４を含む。無線アクセスネットワーク２４は１つ以上の無線ネットワーク制御局ノード（ＲＮＣ）２６と１つ以上の無線基地局（ＢＳ）２８を含む。例として、図１Ａは特に、２つの、即ち、第１の無線ネットワーク制御局２６1と第２の無線ネットワーク制御局２６2とを示しており、また、マクロ無線基地局（図１Ａにはマクロ無線基地局２８M１つだけが示される）と複数のフェムト無線基地局２８f1、２８f2、……２８fxの両方を示している。マクロ無線基地局２８MはマクロセルＣMにサービスする。フェムト無線基地局２８f1、２８f2、……２８fxはそれぞれのフェムトセルＣf1、Ｃf2、……Ｃfxにサービスする。当業者の理解するところでは、無線基地局はそれぞれの無線基地局がサービスするセルの内部（例えば、中央）に設置されるのが普通であるが、説明をわかり易くするために、図１Ａのマクロ無線基地局とフェムト無線基地局はそのようにではなく、双方向矢印によりそれらそれぞれのセルと関連付けて示している。フェムトセルＣf1、Ｃf2、……Ｃfxの少なくとも幾つかは地理的にマクロセルＣMと重なっているか含まれている。
【００３２】
ここで用いられるように、“フェムト無線基地局”はピコ無線基地局またはマイクロ無線基地局の意味も持ち、フェムトセル（もしくはピコセルまたはマイクロセル）にサービスする。フェムトセルは通常１つ以上のマクロセルと重なっており、マクロセルよりも小さ目の地理的領域または加入者顧客層にサービスする。ここで説明する技術は、フェムト無線基地局について特別な利点を持っており、フェムト無線基地局は、無線アクセスネットワークの所有者／通信事業者によってインストールや再配置を制御されることなく、その無線アクセスネットワーク内でインストールしたり、再配置することの内、少なくともいずれかができる。言い換えれば、非ネットワーク通信事業者エンティティ（フェムトの運用者）がフェムト無線基地局を取得でき、フェムトの運用者の嗜好に合わせてフェムト無線基地局を設置することができる。この点に関して、図１Ａは、フェムトの運用者によって最近移動または起動されたかもしれない、そのようなフェムト無線基地局２８fjを図らずも示している。フェムト無線基地局２８fjは、そのフェムトセルＣfjがマクロセルＣMと重なるように、地理的に設置または配置されている。
【００３３】
図１Ａに示されるユーザ機器ユニット（ＵＥ）３０のようなユーザ機器ユニット（ＵＥ）は、１つ以上のセルまたは１つ以上の基地局（ＢＳ）２８と無線またはエアインタフェース３２を介して通信する。ユーザ機器ユニットは、携帯電話（“セルラ”電話）や移動体端末付きのラップトップ等の移動局であってもよく、従って、無線アクセスネットワークと音声とデータとの内、少なくともいずれかを通信する、例えば、携帯型、ポケット型、ハンドヘルド型、コンピュータ内蔵型、または車載型の移動機器であってもよい。
【００３４】
図１Ａに示される無線アクセスネットワーク２４は、そう限定するものではないが、例として、ＵＭＴＳ地上無線アクセスネットワーク（ＵＴＲＡＮ）であってもよい。ＵＴＲＡＮでは、無線アクセスは、個々の無線チャンネルがＣＤＭＡ拡散コードを使用して割り当てられる広帯域コード分割多元接続（ＷＣＤＭＡ）に基づくことが好ましい。勿論、別のアクセス法を使用してもよい。ノード２６および２８は、ＵＴＲＡＮの例であることを考慮すると、それぞれ、無線ネットワーク制御局ノード、無線基地局ノードと呼ばれる。なお、無線ネットワーク制御局と無線基地局という用語はまた、別タイプの無線アクセスネットワークについての同様の機能を持つノードを包含するものと理解されたい。それら別タイプの無線アクセスネットワークを包含する他のタイプの通信システムには次のものが含まれる。即ち、汎欧州デジタル移動電話方式（ＧＳＭ）、改良型移動体電話サービス（ＡＭＰＳ）システム、狭帯域ＡＭＰＳシステム（ＮＡＭＰＳ）、トータルアクセス通信システム（ＴＡＣＳ）、パーソナルデジタルセルラ（ＰＤＣ）システム、米国デジタルセルラ（ＵＳＤＣ）システム、及びＥＩＡ／ＴＩＡ  ＩＳ−９５に記載のコード分割多元接続（ＣＤＭＡ）システムである。
【００３５】
無線アクセスネットワーク２４は、ＵＴＲＡＮではＩｕインタフェースであるようなインタフェースを介してコアネットワーク２０に接続される。図１Ａのコアネットワーク２０はとりわけ、移動体交換センタ（ＭＳＣ）ノード、ゲートウェイＭＳＣ（ＧＭＳＣ）ノード、ゲートウェイ汎用パケット無線サービス（ＧＰＲＳ）サポートノード（ＧＧＳＮ）、及びサービングＧＰＲＳサポートノード（ＳＧＳＮ）を含む。回線交換（ＣＳ）ネットワーク或いはパケット交換（ＰＳ）ネットワークがコアネットワーク２０に接続できる。
【００３６】
単純化のため、図１Ａの無線アクセスネットワーク２４にはＲＮＣノード２６を２つしか示していない。複数の無線ネットワーク制御局ノード（ＲＮＣ）が備えられてもよく、各ＲＮＣ２６は１つ以上の基地局（ＢＳ）２８に接続される。図１Ａに示されたのとは異なる数の基地局が無線ネットワーク制御局２６によりサービスを受けることができ、ＲＮＣは同数の基地局にサービスを行う必要はないことが認識されよう。さらに、ＲＮＣはＩｕｒインタフェースを介して無線アクセスネットワーク２４における１つ以上の別のＲＮＣに接続することができる。無線ネットワーク制御局ノード（ＲＮＣ）２６はインタフェースＩｕｂを介してマクロ無線基地局２８Mと通信する。さらに、当業者はまた、マクロ無線基地局２８のような基地局はこの技術分野では、無線基地局、ノードＢ、またはＢノードと呼ばれることもあることを認識するであろう。無線インタフェース３２、Ｉｕインタフェース、Ｉｕｒインタフェース、及びＩｕｂインタフェースの各々は、図１Ａでは点線で示されている。
【００３７】
図１Ａは、フェムト無線基地局２８fjの無線アクセスネットワーク（ＲＡＮ）、例えば、その無線ネットワーク制御局ノード（例えば、具体的に図示されたシナリオでは無線ネットワーク制御局ノード２６1）への一般的なアクセスを図示したものと見ることができる。“一般的なアクセス”によって、フェムト無線基地局２８fjに行うことのできるアクセスが、先に述べたように、広帯域固定アクセスであっても良いし、或いは、広帯域移動体アクセス（例えば、ＷｉＭＡＸ）であってもよいことを意味する。結局のところ、図１Ａでは、フェムト無線基地局２８fjを含むフェムト無線基地局２８fは通信ネットワーク３８に接続される。そのような通信ネットワークの例はＩＰネットワーク３８である。
【００３８】
以上とは対照的に、図１Ｂは、フェムト無線基地局２８fjについての広帯域無線アクセスまたは移動アクセスのシナリオを示す。そのため、図１Ｂは、フェムト無線基地局２８fjの無線アクセスネットワーク２４へのアクセスがマクロ無線基地局（例えば、図示のシナリオのマクロＲＢＳ２８M）を経由することを示す。先に説明したように、無線または移動体広帯域アクセスは、例えば、ＨＳＤＰＡと拡張アップリンク、またはＷｉＭＡＸを使用して実現できる。文脈中で特に具体的に除外されない限り、ここで説明される技術の態様は、広帯域固定アクセスと広帯域移動アクセス（例えば、広帯域無線アクセス）を含む全てのタイプのアクセスに適用可能である。
【００３９】
図２Ａは、第１の例である一般的なフェムト無線基地局２８fの基本的、選択的、代表的な構成要素を示す。１つ以上のフェムト無線基地局２８f1、２８f2、……２８fxは、図２Ａの一般的フェムト無線基地局２８fの形をとることができる。図２Ａのフェムト無線基地局２８fは、他にも不図示の構成ユニットはあるが、ＩＰインタフェースユニット５０、１つ以上の無線周波数送受信機５２、無線周波数受信機５４、データ処理システム、データ処理部、またはデータ処理ユニット５６を含む。図２Ａは、データ処理システム５６が、ＵＥ測定値リストマネージャ５７と隣接データ構造ビルダ５８Ａとを含む制御装置またはプロセッサを含むものとして示されている。隣接データ構造ビルダ５８Ａは、図２Ａの描写で“Ａｌｌ＿Ｃｅｌｌｓ＿Ｆｏｕｎｄ（検知された全セル）”とタイトルが付けられた隣接データ構造５９Ａを構築するように構成され設定される。ＵＥ測定値リストマネージャ５７と隣接データ構造ビルダ５８Ａとが別の形、例えば、１つ以上の独立したプロセッサまたは制御装置の形をとることもできることが理解されよう。
【００４０】
図２Ｂは、他の例のフェムト無線基地局２８fの基本的、選択的、代表的な構成要素を示す。図２Ｂのフェムト無線基地局２８fの要素の多くは、対応する参照番号が示すように、図２Ａのフェムト無線基地局２８fのものと同じかまたは少なくとも類似している。図２Ｂのフェムト無線基地局２８fの隣接データ構造ビルダはその隣接データ構造を幾らか異なったやり方で構築するよう構成されるという事実を考慮して、隣接データ構造ビルダと隣接データ構造とはそれぞれ、隣接データ構造ビルダ５８Ｂおよび隣接データ構造５９Ｂとして描かれている。
【００４１】
図２Ａのフェムト無線基地局２８fと図２Ｂのフェムト無線基地局２８fとの両方について、無線周波数トランシーバ５２は、フェムト無線基地局２８fがサービスするフェムトセル中のユーザ機器ユニット（ＵＥ）との無線またはエアインタフェースによる通信に使用される。無線周波数トランシーバ５２の数は、移動体接続を処理するフェムト無線基地局の容量を含む種々の要因に依存する。
【００４２】
受信機５４は、フェムト無線基地局２８fに常駐しており、無線アクセスネットワーク２４において同報されるシステム情報を、フェムト無線基地局２８fにおいて、無線インタフェース３２を介して取得する役割を持つ。無線アクセスネットワーク（ＲＡＮ）がＷＣＤＭＡネットワークの場合、図２Ａの実施例と図２Ｂの実施例の両方について、受信機５４はＷＣＤＭＡ受信機である。この意味で、両方の実施例において、受信機５４はユーザ機器ユニット（ＵＥ）の形をとってもよい。即ち、図２Ａのフェムト無線基地局２８fにおいては、受信機５４は、周辺のマクロカバレッジを走査できるフェムトＲＢＳベースのユーザ機器ユニット（ＵＥ）であってもよい。
【００４３】
図３Ａは、第１の例の無線ネットワーク制御局ノード２６の基本的、選択的、代表的な構成要素を示す。無線ネットワーク制御局ノード２６は、無線ネットワーク制御局ノード２６をＩｕインタフェースを介してコアネットワーク２０に接続するインタフェースユニット７０、無線ネットワーク制御局ノード２６をＩｕｒインタフェースを介して別の無線ネットワーク制御局に接続するインタフェースユニット７２、無線ネットワーク制御局ノード２６をＩｕｂインタフェースを介して１つ以上のマクロ無線基地局２８Mそれぞれに接続する１つ以上のインタフェースユニット７４、そして、無線ネットワーク制御局ノード２６を１つ以上のフェムト無線基地局２８f1、２８f2、……２８fxそれぞれに接続する１つ以上のインタフェースユニット７６のような幾つかのインタフェースユニットを含むことができる。ＲＮＣ２６とフェムト無線基地局２８mとの間の接続は、通信ネットワーク３８を介して実現可能であり、例えば、インターネットプロトコル（ＩＰ）ベースの転送が利用可能である。ＲＮＣ２６とマクロ無線基地局２８Mとの間の接続は、例えば、インターネットプロトコル（ＩＰ）ベースとＡＴＭベースとの内の少なくともいずれかの転送が利用可能である。
【００４４】
インタフェースユニットに加えて、無線ネットワーク制御局ノード２６は多くの不図示の構成要素のみならずデータ処理システム、データ処理部、またはデータ処理ユニット８０を含む。図３に示されるように、非限定的な実施形の例では、無線ネットワーク制御局ノード２６のデータ処理システム８０は、制御部（例えば、コントローラ８２）、ハンドオーバユニット８４、（例えば、接続のダイバーシティレッグの処理に関わる）コンバイナ及びスプリッタユニット８６、および隣接リストビルダ９０を含む。
【００４５】
隣接リストビルダ９０は、隣接データ構造をフェムト無線基地局２８fから受信して、隣接リストを構築するよう構成され設定される。隣接リストビルダ９０を構成する個別の機能ユニットにより描かれた機能の例は、ＲＢＳデータ構造受信機９２、データ構造モディファイア（modifier）９４、および隣接リストのエクスポータ（exporter）９６を含む。データ構造モディファイア９４は、フィルタユニット９７、ポリシユニット９８、および加算ユニット９９のような種々のさらなる機能またはユニットをオプションとして含むものとして示されている。隣接リストビルダ９０と、その図示された機能ユニットのいずれかが、例えば、１つ以上の独立したプロセッサまたはコントローラ等の別の形をとってもよいことが理解されよう。
【００４６】
図３Ｂは、別の例の無線ネットワーク制御局ノード２６を図示している。図３Ｂの無線ネットワーク制御局ノード２６の要素の多くは、対応する参照番号が示すように、図３Ａの無線ネットワーク制御局ノード２６のものと同じかまたは少なくとも類似している。しかし、図３Ｂの無線ネットワーク制御局ノード２６は、例えば、隣接リストビルダの機能が、図３Ｂの隣接リストビルダノード１００によって図示されるように、図３Ｂの無線ネットワーク制御局ノード２６に接続されたバックエンドシステムに分散されているという事実において異なっている。図３Ｂの無線ネットワーク制御局ノード２６は隣接リストハンドラ１０２を含み、これは隣接リストビルダノード１００とインタフェースを持ち、隣接リストビルダノード１００によって構築された隣接リストのフェムト無線基地局への転送を管理する。隣接リストビルダ９０と同様のやり方で、隣接リストビルダノード１００を構成する個別の機能ユニットにより描かれた機能の例は、ＲＢＳデータ構造受信機１９２、データ構造モディファイア１９４、および隣接リストエクスポータ１９６を含み、データ構造モディファイア１９４は、フィルタユニット１９７、ポリシユニット１９８、及び加算ユニット１９９のような種々のさらなる機能またはユニットをオプションとして含む。隣接リストビルダノード１００とその図示された機能ユニットのいずれかが、例えば、１つ以上の独立したプロセッサまたはコントローラ等の別の形をとってよいこともまた理解されよう。
【００４７】
図４Ａは、第１の例の動作モードで実行されるステップと動作との例を示す。第１の例の動作モードは一般的なアクセスタイプであり、従って、固定広帯域アクセスおよび無線広帯域アクセスの一方または両方について実行されるステップおよび動作を包含することができる。図４Ａおよび他の類似の図のステップと動作との例は、例えば、フェムト無線基地局２８fjがフェムト運用者によって起動されたばかりの時に生じる。
【００４８】
図４Ａのステップ４Ａ−１は、常駐の受信機５４が無線アクセスネットワーク２４において同報されたシステム情報を（無線インタフェース３２を介して）取得することを示している。特に、ステップ４Ａ−１は、フェムト無線基地局２８fの受信機５４が、検知されたセルについてセルアイデンティティ情報を取得するためにフェムト無線基地局の周辺のマクロカバレッジ領域を走査することを示している。ＷＣＤＭＡ実施形の１つの例では、受信機５４は関連するスクランブル符号を読込んで、ＰＬＭＮ−ＩＤを見つけるためにマスタ情報ブロック（ＭＩＢ）をデコードし、ＬＡＣを見つけるためにシステム情報ブロック１（ＳＩＢ１）を読込んでデコードし、そして、セルアイデンティティシステム情報を見つけるためにシステム情報ブロック３（ＳＩＢ３）を読込んでデコードする。ステップ４Ａ−２として、隣接データ構造ビルダ５８は（セル識別子を使用して）検知されたセルを隣接データ構造５９に追加する。検知されたセル各々について、セル識別情報が隣接データ構造５９に追加される。
【００４９】
ステップ４Ａ−３として、フェムト無線基地局２８fの常駐受信機５４は、隣接データ構造５９に追加されたセルアイデンティティをもつ各セルについて、信号強度の測定を実行する。ステップ４Ａ−３の一部として、そのような各セルについての信号強度の測定値を隣接データ構造に追加する。言い換えるならば、受信機５４は、隣接データ構造５９（Ａｌｌ＿Ｃｅｌｌｓ＿Ｆｏｕｎｄ）にリストされた各セルの信号強度の測定をも実行する。隣接データ構造５９の完成後、フェムト無線基地局２８fはこれらの結果を（隣接データ構造５９の形式で）無線ネットワーク制御局ノード２６へ、好ましくはＩＰネットワーク３８が提供するＩＰベースの接続を使用して報告する。図４Ａは、無線ネットワーク制御局ノード２６へ隣接データ構造５９を報告することをステップ４Ａ−４として示す。
【００５０】
隣接データ構造５９を受信すると、無線ネットワーク制御局ノード２６は隣接リストビルダ９０を適宜、呼び出す。隣接リストの構築は図４Ａのステップ４Ａ−５として一般的に描かれている。隣接リストビルダ９０のＲＢＳデータ構造受信機９２は、本質的にはフェムト無線基地局２８fから受信した隣接データ構造５９を受信して分析する。隣接リストビルダ９０は、Ｆｅｍｔｏ＿ＲＢＳ＿ＳＩ＿Ｎｅｉｂｏｒｉｎｇ＿Ｌｉｓｔとしても知られる隣接リストを構築する。そうする際に、隣接リストビルダ９０はデータ構造モディファイア９４を呼び出してもよい。例えば、データ構造モディファイア９４のフィルタユニット９７は、フェムトＲＢＳから受信したＡｌｌ＿Ｃｅｌｌｓ＿Ｆｏｕｎｄ情報（例えば、隣接データ構造５９）に対して、何らかの内部的なポリシに基づいてフィルタリングをオプションとしてまたは選択的に適用して、幾つかのセルをＦｅｍｔｏ＿ＲＢＳ＿ＳＩ＿Ｎｅｉｂｏｒｉｎｇ＿Ｌｉｓｔに含めないようにすることができる。Ｆｅｍｔｏ＿ＲＢＳ＿ＳＩ＿Ｎｅｉｂｏｒｉｎｇ＿Ｌｉｓｔの構築時に、ポリシユニット９８を呼び出して、内部的なポリシに基づいて幾つかのセルを別のセルで置換することもできよう。第３のオプションとして、内部的なポリシとＡｌｌ＿Ｃｅｌｌｓ＿Ｆｏｕｎｄ情報に基づいて、Ｆｅｍｔｏ＿ＲＢＳ＿ＳＩ＿Ｎｅｉｂｏｒｉｎｇ＿Ｌｉｓｔに全く新しいセルを含める（例えば、加算ユニット９９による追加）こともできよう。
【００５１】
データ構造モディファイア９４が実現するこれらのポリシは、例えば、実施例に準拠して隣接セルリストを構築するノードにおいて、ＲＢＳかまたはＲＮＣで、ネットワーク運用者によって設定されてもよい。これらのポリシはまた、中央ネットワークノード（例えば、ＲＮＣまたはＯ＆Ｍノード）で定義し、それからそのポリシを適用するＲＢＳへダウンロードすることもできよう。ポリシの１つの例は、測定信号強度が所定の閾値に達しないセルを含めないことであろう。別のポリシは、例えば、セルがどのＰＬＭＮに属するか（ＰＬＭＮ−ＩＤで示される）により、これらのセルをブラックリストに載せることであろう。さらに別のポリシは、ネットワーク運用者が“ブラックリスト”中に設定したあるセルを絶対に含めないことであろう。さらに別のポリシは、マッピングテーブルを保有して、例えば、マクロセル−Ｘ（例えば、ＵＭＴＳセル）が報告された場合は、常にそれをマクロセル−Ｚ（例えば、ＧＳＭセル）に置換することであろう。
【００５２】
ステップ４Ａ−５での隣接リストの構築が完了した後、隣接リストエクスポータ９６はフェムト無線基地局２８fへ送信するため隣接リストの形式を整えるか、そのリストを準備するかの内、少なくともいずれかを行う。図４Ａのステップ４Ａ−６は、無線ネットワーク制御局ノード２６からフェムト無線基地局２８fへ隣接リストが送信されることを示している。ステップ４Ａ−７は、無線ネットワーク制御局ノード２６1から受信した隣接リストをＵＥ測定値リストマネージャ５７において記憶することを示す。ステップ４Ａ−８はその後、フェムト無線基地局２８fからそのフェムト無線基地局によりサービスを受けるユーザ機器ユニット３０へ隣接リストを送信することを示す。ステップ４Ａ−８の１実施形では、隣接リストは、フェムト無線基地局２８fによりサービスを受けるアイドルモードにある全てのユーザ機器ユニットに同報される。ステップ４Ａ−８の別の実施形では、接続中モードまたはアクティブモードにある特定のユーザ機器ユニットへ、専用シグナリング接続を介して、モニタセットの形式で隣接リストが送信される。
【００５３】
余談になるが、例えば、モニタセットを含む隣接リスト以外のリストの通知を記憶し管理するのに、ＵＥ測定値リストマネージャ５７を使用してもよい。
【００５４】
図２Ａに示すフェムト無線基地局の実施例では、図２Ａのフェムト無線基地局２８fの受信機５４が周辺のカバレッジ領域を走査するので、隣接データ構造ビルダ５８Ａが構築する隣接データ構造５９Ａは“走査されるセル”のリストを含むように描かれている。
【００５５】
図４Ｂは、第２の例の動作モードで実行されるステップと動作との例を示す。図４Ｂに描かれた動作モードでは、図４Ａのモードのステップ４Ａ−１からステップ４Ａ−３を含む一連のステップが、ステップ４Ｂ−１からステップ４Ｂ−３を含む一連のステップにより増されている。
【００５６】
図４Ｂのステップ４Ｂ−１は、常駐受信機５４が、ステップ４Ａ−１の走査中に見つけたマクロセルに少なくとも一時的に留まり、無線アクセスネットワーク２４において同報されたシステム情報を（無線インタフェース３２を介して）取得することを示している。ステップ４Ｂ−２として、一時的に留まったマクロセルについてのセルアイデンティティ情報と信号強度の測定値とが、隣接データ構造５９Ｂに既に含まれない場合、隣接データ構造５９Ｂに追加される。加えて、ステップ４Ｂ−３として、一時的に留まったマクロセルにおける少なくとも１つのシステム情報ブロックが、少なくとも１つの隣接セルについての情報を取得するために閲覧／使用される。少なくとも１つの隣接セルについてのセルアイデンティティ情報と信号強度の測定値もまた、ステップ４Ｂ−３の一部として、隣接データ構造に追加される。
【００５７】
上述についてより詳しく説明すると、フェムト無線基地局２８fの受信機５４（ＵＥ）が成功裡にマクロセルに一時的に留まった時、そのようなものが隣接データ構造５９Ｂ中に既に存在しない場合は、その時点で一時的に留まっているセルの測定値とアイデンティティとをも隣接データ構造５９Ｂの中に含める（ステップ４Ｂ−２として）。受信機５４（ＵＥ）はまた、その時点のセルのシステム情報ブロック１１（ＳＩＢ１１）を読込んでデコードすることもできる。ＳＩＢ１１はアイドルモードにある隣接セルについての情報を含んでおり、可能なセルについてスペクトル全体を走査する代わりに、Ａｌｌ＿Ｃｅｌｌｓ＿Ｆｏｕｎｄ用の候補を選択するのに使用することもできる。
【００５８】
図４Ｂの例のモードのステップ４Ａからステップ４Ａ−８は、図４Ａのモードの対応するステップ４Ａ−４からステップ４Ａ−８と本質的に同じかまたは類似している。これらのステップには、ステップ４Ａ−４として無線ネットワーク制御局ノード２６への隣接データ構造５９Ｂの報告、ステップ４Ａ−５によって一般的に描かれている隣接リストの構築、ステップ４Ａ−６として無線ネットワーク制御局ノード２６からフェムト無線基地局２８fへの隣接リストの送信、ステップ４Ａ−７として無線ネットワーク制御局ノード２６1から受信した隣接リストのＵＥ測定値リストマネージャ５７での記憶、および、ステップ４Ａ−８としてフェムト無線基地局２８fからそのフェムト無線基地局によりサービスを受けるユーザ機器ユニット３０への隣接リストのその後の送信が含まれる。
【００５９】
図２Ｂに示すフェムト無線基地局の実施例では、図２Ｂのフェムト無線基地局２８fの受信機５４は、一時的に留まったセルについてのシステム情報ブロックからシステム情報を取得するので、隣接データ構造ビルダ５８Ｂが構築する隣接データ構造５９Ｂは、一時的に留まったセルの識別子とともに、“システム情報からのセル”のリストを含むものとして描かれている。従って、図４Ｂのモードで構築される隣接データ構造は、隣接データ構造５９Ａに示されるようなエントリと図２Ｂの隣接データ構造５９Ｂに示されるエントリとを連結したものである。
【００６０】
図４Ｂのモードのやり方で一時的に留まったマクロセルのシステム情報ブロックからアイドルモードの隣接セルのセルアイデンティティを取得することにより、隣接データ構造の候補を、可能なセルのスペクトル全体を走査する必要もなく選択することができる。次いで、信号強度の測定がこれらのセルについて別のステップとして実行される。
【００６１】
先に説明した幾つかの実施例および態様では、フェムト無線基地局は隣接データ構造をそのフェムト無線基地局以外の別のネットワークノードに報告する。それらの別のノードは、その隣接データ構造を、それらのノードで隣接リストを構築するために使用する。既に示した実施例では、それらの別のノードは無線ネットワーク制御局ノードである。
【００６２】
図４Ｃは、第３の例の動作モードで実行されるステップと動作との例を示す。図４Ｃのモードでは、隣接リストを構築するために隣接データ構造を使用する別のノードは無線ネットワーク制御局ノード２６1ではなく、図３Ｂに示されるような隣接リストビルダノード１００である。隣接リストビルダノード１００は、例えば、無線ネットワーク制御局ノードに接続されたバックエンドシステムノードであってもよい。図４Ｃの準備ステップは、図４Ａのモードの最初の４ステップまたは図４Ｂのモードの最初の７ステップであってもよい。簡単化のために、図４Ｃは、その最初のステップが図４Ａのモードの最初の３ステップ、例えば、ステップ４Ａ−１からステップ４Ａ−３であるとして示されている。ステップ４Ａ−４として、隣接データ構造５９は無線ネットワーク制御局ノード２６によって受信される。しかし、ステップ４Ｃ−４として、無線ネットワーク制御局（ＲＮＣ）は隣接データ構造５９を隣接リストビルダノード１００へ委譲または送信する。隣接リストビルダノード１００は、図４Ｃのステップ４Ｃ−５に描かれるように、隣接データ構造５９を隣接リストを構築するために使用する。その隣接リストが完成すると、隣接リストビルダノード１００は、完成した隣接リストをステップ４Ｃ−６として無線ネットワーク制御局ノード２６に返し、そこで無線ネットワーク制御局ノード２６はステップ４Ａ−６として完成された隣接リストをフェムト無線基地局２８fに伝える。無線ネットワーク制御局ノード２６1から受信した隣接リストのＵＥ測定値リストマネージャ５７への格納はステップ４Ａ−７として実行され、その後、フェムト無線基地局送信２８fからそのフェムト無線基地局によりサービスを受けるユーザ機器ユニット３０への隣接リストの送信はステップ４Ａ−８として実行される。
【００６３】
以上で議論された図４Ａ〜図４Ｃの実施例および態様では、隣接データ構造５９、もしくはそれの何らかの変形または改良版が、別のノードが隣接リストを構築できるようフェムト無線基地局からその別のノードへ送信される。その後、その別のノードは隣接リストをフェムト無線基地局へ返す。隣接データ構造を転送するためのインタフェースと適当なプロトコルが構成され、また隣接リストがフェムト無線基地局と少なくとも１つの別のノードとの間で転送される。幾つかの実施例では、隣接データ構造と隣接リストは拡張Ｉｕｂインタフェース（例えば、“ｌｕｂ＋”インタフェース）を介して送信される。Ｉｕｂ＋インタフェースは、無線基地局ノードと無線ネットワーク制御局ノードとの間に存在する従来からのＩｕｂインタフェースに似ているが、そのプロトコルは、隣接データ構造と隣接リストの転送を実現するために必要な情報要素またはその他の特徴を含むように追加または変形されている。あるいは、Ｉｕｂインタフェースとプロトコルの拡張版を使用せずに、フェムト無線基地局と別のネットワークノードまたはエンティティとの間での隣接データ構造と隣接リストの転送を容易にするよう調整、または構成された全く新しいインタフェースとプロトコルを使用してもよい。
【００６４】
この技術の少なくとも１つの実施例および態様によれば、隣接リストをフェムト無線基地局以外のノードによって構築する必要は必ずしもない。この点について、図４Ｄは第４の例の動作モードで実行されるステップと動作との例を示す。図４Ｄのモードはまた、図２Ｃのフェムト無線基地局２８fによっても示される。
【００６５】
図４Ｄのモードの最初の６ステップは、図４Ｂのモードのものと同じであり、それはステップ４Ａ−１からステップ４Ａ−３とステップ４Ｂ−１からステップ４Ｂ−３である。しかしながら、フェムト無線基地局２８fが構築した隣接データ構造５９Ｂを別のノードに送信してその別のノードによって隣接リストを変形または構成する代わりに、図４Ｄのステップ４Ｄ−５に描かれたように、フェムト無線基地局２８fはそれが構築したばかりの隣接データ構造５９Ｂを隣接リストとして使用する。この点について、図３Ｃもまた、隣接データ構造ビルダ５８Ｂによって構築された隣接データ構造５９Ｂが使用されるかまたはＵＥ測定値リストマネージャ５７へ送信されることをステップ４Ｄ−５として示している。ステップ４Ｄ−８は、フェムト無線基地局２８fからそのフェムト無線基地局によってサービスを受けるユーザ機器ユニット３０への（隣接データ構造５９Ｂから取得した）隣接リストのその後の転送を図示している。
【００６６】
従って、図４Ｄのモードで示されるように、所望ならば、フェムト無線基地局が構築した隣接データ構造そのものを、フェムト無線基地局によってサービスを受けるユーザ機器ユニットへ転送する隣接リストとして使用してもよい。以上の原理／方法はまた、ＷＣＤＭＡ以外の無線技術にも適用可能である。ＷＣＤＭＡは一例として示したにすぎない、他の好適な技術には、これらに限定するものではないが、ＧＳＭ、ＣＤＭＡ、ＷｉＭＡＸ等が含まれる。この技術は先述の説明上、好都合なシステムとシナリオと特別の関わりを持つが、しかしながら、その他のケースにおいてもまたその他のネットワークに対しても適用可能であろう。
【００６７】
種々の実施例を示して詳細に説明したが、請求の範囲はいずれの特定の実施例や例によって限定されるものではない。以上の説明のいずれについても、いずれかの特定の要素、ステップ、範囲、または機能が不可欠であることを示唆するものとは読まれるべきではない。本発明は開示された実施例に限定されるものではなく、むしろそれとは反対に、種々の改良および等価な構成を網羅することを意図するものである。
【図面の簡単な説明】
【００６８】
【図１Ａ】選択されたフェムト無線基地局は一般のアクセス送信により接続される無線アクセスネットワーク（ＲＡＮ）を含む通信システムの実施例を図示したものである。
【図１Ｂ】選択されたフェムト無線基地局は移動体広帯域アクセス送信により接続される無線アクセスネットワーク（ＲＡＮ）を含む通信システムの実施例を図示したものである。
【図２Ａ】一般のアクセス送信を使用するフェムト無線基地局の実施例の概略図である。
【図２Ｂ】無線広帯域アクセス送信を使用するフェムト無線基地局の実施例の概略図である。
【図２Ｃ】無線広帯域アクセス送信を使用し、また、自身が作成した隣接データ構造を隣接リストとして使用するフェムト無線基地局の実施例の概略図である。
【図３Ａ】第１の実施例の無線ネットワーク制御局（ＲＮＣ）ノードの概略図である。
【図３Ｂ】第２の実施例の無線ネットワーク制御局（ＲＮＣ）ノードの概略図である。
【図４Ａ】第１の例の動作モードで実行されるステップと動作との例を図示したものである。
【図４Ｂ】第２の例の動作モードで実行されるステップと動作との例を図示したものである。
【図４Ｃ】第３の例の動作モードで実行されるステップと動作との例を図示したものである。
【図４Ｄ】第４の例の動作モードで実行されるステップと動作との例を図示したものである。
【図５】２つの異なるバックホール案を示す図である。
【図１Ａ】
2009510973.tif 000003
【図１Ｂ】
2009510973.tif 000004
【図２Ａ】
2009510973.tif 000005
【図２Ｂ】
2009510973.tif 000006
【図２Ｃ】
2009510973.tif 000007
【図３Ａ】
2009510973.tif 000008
【図３Ｂ】
2009510973.tif 000009
【図４Ａ】
2009510973.tif 000010
【図４Ｂ】
2009510973.tif 000011
【図４Ｃ】
2009510973.tif 000012
【図４Ｄ】
2009510973.tif 000013
【図５】
2009510973.tif 000014
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
無線アクセスネットワーク（２４）を動作させる方法であって、
フェムト無線基地局（２８fj）において無線インタフェース（３２）により、無線アクセスネットワーク（２４）において同報されるシステム情報を取得する工程と、
前記フェムト無線基地局（２８fj）において、隣接セルの情報を有する隣接データ構造（５９）を構築するために、前記システム情報の少なくとも一部を用いる工程と、
前記フェムト無線基地局（２８fj）以外のネットワークノード（２６，１００）に前記隣接データ構造（５９）を報告し、前記他のノード（２６，１００）において隣接リストを構築するために前記隣接データ構造（５９）を用いる工程と、
前記隣接リストを前記フェムト無線基地局（２８fj）に送信する工程と、
前記フェムト無線基地局（２８fj）から前記フェムト無線基地局（２８fj）によりサービスを受けるユーザ機器ユニット（３０）に前記隣接リストを送信する工程とを有することを特徴とする方法。
【請求項２】
前記フェムト無線基地局（２８fj）から前記フェムト無線基地局（２８fj）によりサービスを受けるユーザ機器ユニット（３０）に前記隣接リストを送信する工程は、アイドルモードにある前記フェムト無線基地局によりサービスを受けるユーザ機器ユニットに前記隣接リストを同報する工程を有することを特徴とする請求項１に記載の方法。
【請求項３】
前記フェムト無線基地局（２８fj）から前記フェムト無線基地局（２８fj）によりサービスを受けるユーザ機器ユニット（３０）に前記隣接リストを送信する工程は、アクティブモード或いは接続中モードにある前記フェムト無線基地局によりサービスを受けるユーザ機器ユニットに、モニタされたセットとして前記隣接リストを送信するために専用シグナリング接続を用いる工程を有することを特徴とする請求項１に記載の方法。
【請求項４】
前記他のノードは無線ネットワーク制御局ノード（２６）であることを特徴とする請求項１に記載の方法。
【請求項５】
前記他のノードはバックエンドシステムノードであることを特徴とする請求項１に記載の方法。
【請求項６】
前記システム情報を取得する工程は、前記フェムト無線基地局（２８fj）の周辺のマクロカバレッジ領域を走査し、検出されたセルについてのセルアイデンティティ情報を取得する工程を含み、
前記方法は、検出されたセル各々に関し、
前記隣接データ構造（５９）に前記セルアイデンティティ情報を付加する工程と、
前記隣接データ構造（５９）に付加されたセルアイデンティティを有する各セルに関し信号強度の測定を実行する工程と、
前記隣接データ構造（５９）に前記信号強度の測定値を付加する工程とをさらに有することを特徴とする請求項１に記載の方法。
【請求項７】
前記隣接リストを構築するために前記隣接データ構造（５９）を用いる工程は、
前記隣接データ構造から少なくとも１つのセルをフィルタする工程と、
前記隣接データ構造の少なくとも１つのセルを置き換えセルで置換する工程と、
新しいセルを前記隣接データ構造（５９）に追加する工程との内の少なくとも１つを有することを特徴とする請求項１に記載の方法。
【請求項８】
無線アクセスネットワーク（２４）を動作させる方法であって、
フェムト無線基地局（２８fj）において無線インタフェース（３２）により、マクロセルに一時的に留まることにより、無線アクセスネットワーク（２４）において同報されるシステム情報を取得する工程と、
前記フェムト無線基地局（２８fj）において、隣接セルの情報を有する隣接データ構造（５９）を構築するために、前記システム情報の少なくとも一部を用いる工程と、
隣接リストを構築するために前記隣接データ構造（５９）を用いる工程と、
前記フェムト無線基地局（２８fj）から前記フェムト無線基地局（２８fj）によりサービスを受けるユーザ機器ユニット（３０）に前記隣接リストを送信する工程とを有し、
前記隣接データ構造（５９）の構築は、
前記一時的に留まったマクロセルについてのセルアイデンティティ情報を前記隣接データ構造（５９）に付加する工程と、
前記一時的に留まったマクロセルにおける少なくとも１つのシステム情報ブロックを用いて隣接セルについての情報を取得する工程と、
前記隣接セルについてのセルアイデンティティ情報を前記隣接データ構造（５９）に付加する工程とをさらに有することを特徴とする方法。
【請求項９】
前記フェムト無線基地局（２８fj）により構築された前記隣接データ構造（５９）を前記隣接リストとして用いる工程をさらに有することを特徴とする請求項８に記載の方法。
【請求項１０】
前記フェムト無線基地局（２８fj）以外のネットワークノード（２６，１００）に前記隣接データ構造（５９）を報告し、前記他のノード（２６，１００）において隣接リストを構築するために前記隣接データ構造（５９）を用いる工程と、
前記隣接リストを前記フェムト無線基地局（２８fj）に送信する工程とを有することを特徴とする請求項８に記載の方法。
【請求項１１】
フェムト無線基地局（２８fj）であって、
検知されたセルについてのセルアイデンティティ情報を含むシステム情報を取得し、信号強度の測定を実行するために、前記フェムト無線基地局（２８fj）の周辺のマクロカバレッジ領域を走査するよう構成され、さらに一時的にマクロセルに留まり、（１）前記一時的に留まったマクロセルについてのセルアイデンティティと信号強度の測定値と、（２）少なくとも１つの隣接セルについての情報を取得するための前記一時的に留まったマクロセルのシステム情報ブロックとを取得するように構成された常駐の無線受信機（５４）と、
隣接セルについての情報を含む隣接データ構造（５９）を構築するために、前記システム情報の少なくとも一部と前記（１）と前記（２）とをを使用するように構成された隣接データ構造（５９）のビルダとを有し、
前記隣接データ構造（５９）のビルダは、前記検知されたセルについてセルアイデンティティ情報と前記隣接データ構造（５９）の各セルに関する信号強度の測定値を前記隣接データ構造（５９）に含めるように構成されることを特徴とするフェムト無線基地局。
【請求項１２】
前記常駐の無線受信機（５４）はさらに、信号強度測定を実行し、前記一時的に留まったマクロセルについての信号強度測定値を取得するよう構成されることを特徴とする請求項１１に記載のフェムト無線基地局。
【請求項１３】
フェムト無線基地局（２８fj）の前記隣接データ構造（５９）のビルダによって構築された前記隣接データ構造（５９）を、前記フェムト無線基地局（２８fj）によりサービスを受けるユーザ機器ユニット（３０）への送信のために前記隣接リストとして使用するように構成されたリストマネージャ（５７）をさらに有することを特徴とする請求項１１に記載のフェムト無線基地局。
【請求項１４】
無線アクセスネットワークであって、
フェムト無線基地局（２８fj）と、
隣接データ構造（５９）を用いて隣接リストを構築するよう構成された、前記フェムト無線基地局（２８fj）からは別個のノード（２６，１００）とを有し、
前記フェムト無線基地局（２８fj）は、
無線アクセスネットワークにおいて同報されたシステム情報を取得するために構成された常駐の無線受信機（５４）と、
前記フェムト無線基地局（２８fj）において、隣接セルについての情報を含む前記隣接データ構造（５９）を構築するために前記システム情報の少なくとも一部を使用する手段を有することを特徴とする無線アクセスネットワーク。
【請求項１５】
前記隣接データ構造（５９）を用いて隣接リストを構築するよう構成されたノードは、無線ネットワーク制御局ノード（２６）を有することを特徴とする請求項１４に記載の無線アクセスネットワーク。
【国際調査報告】
2009510973.tif 000015
2009510973.tif 000016
2009510973.tif 000017
2009510973.tif 000018